(57)【要約】【課題】本発明は、容易に基材に化粧シートを貼付することができ、床材間の目隙が目立たない床材を提供することを課題とする。【解決手段】上記課題を解決するため、本発明では、化粧シート２が貼付された矩形の床材Ａであって、基材１は、雄実５が形成された側面を備えており、前記雄実５が形成された側面の反対側の側面には雌実６が設けられ、前記雄実５を設けた側面には、基材上面２０と連続する第一上向き傾斜面８を備えており、前記雌実６を設けた側面には、基材１の上面と連続する第二上向き傾斜面１６を備えており、化粧シート２が、基材上面２０から前記第一上向き傾斜面８と第二上向き傾斜面１６に至るまで貼付されていることを特徴とした。【選択図】図３
2007170059.tif 000002
【特許請求の範囲】
【請求項１】
基材の上面に化粧シートが貼付された矩形の床材であって、
前記基材は、雄実が形成された側面を備えており、前記雄実が形成された側面の反対側の側面には雌実が設けられ、
前記雄実を設けた側面には、基材の上面と連続する第一上向き傾斜面を備えており、
前記雌実を設けた側面には、基材の上面と連続する第二上向き傾斜面を備えており、
複数の床材を組み合わせて床を構成した場合に、隣接する一方の床材の雄実と、他方の床材の雌実とを嵌合させて、一方の床材の第一上向き傾斜面の上縁部と隣接する床材の第二上向き傾斜面とによってＶ字形の溝を形成させて、第一上向き傾斜面の下縁部を雌実に収容させることが可能であり、
化粧シートが、基材の上面から前記第一上向き傾斜面と第二上向き傾斜面に至るまで貼付されていることを特徴とする床材。
【請求項２】
基材上に配置された化粧シートは、押圧手段によって押圧されて基材に貼付されていることを特徴とする請求項１に記載の床材。
【請求項３】
基材の上面と第一上向き傾斜面との角度、及び基材の上面と第二上向き傾斜面との角度が、共に１２０〜１５０度の範囲内であることを特徴とする請求項１又は請求項２に記載の床材。
【請求項４】
前記雄実は、前記第一上向き傾斜面の他に、先端面、雄実下面を有しており、前記雄実の下方には雄実下面と連続する雄実側垂直面が形成されており、
前記雌実の上方には雌実と連続する前記第二上向き傾斜面が形成され、雌実は、雌実上面、底面、雌実下面を有しており、雌実の下方には雌実下面と連続する雌実側垂直面が形成されており、
複数の床材を組み合わせて床を構成した場合に、一方の床材の第一上向き傾斜面に、他方の床材の第二上向き傾斜面と雌実上面とで形成される稜線を当接させることにより、隣接する床材同士の位置決めをすることが可能であり、
その場合、雄実の先端面と雌実の底面との間、及び雄実側垂直面と雌実側垂直面との間に、所定幅の間隔が形成される側面の形状を有することを特徴とする請求項１〜３に記載の床材。
【発明の詳細な説明】
【技術分野】
【０００１】
本発明は、表面に化粧シートが貼付される床材に関するものである。
【背景技術】
【０００２】
従来から、床材を組み合わせて床を構成する場合には、いわゆる実継ぎと呼ばれる板の接合方法が採用されている。実継ぎとは、雌実を形成した床材の側面と、雄実を形成した床材の側面とを接続するものである。
【０００３】
このような実継ぎを採用した床材が、例えば、特許文献１に開示されている。特許文献１では、雄実と雌実とが側面に形成された木質系基材の表面に化粧シートを貼付した床材において、目地部の耐水性に優れ、キャスター等の移動時に加わる外力によって、化粧シートが、床材を組み合わせて構成される床の目地部から剥がれ難い床材が開示されている。
【特許文献１】特開２００３−３５０２９号公報
【発明の開示】
【発明が解決しようとする課題】
【０００４】
通常、床材を構成する基材への化粧シートの貼付は、ラミネータと呼ばれる装置によって行われる。ラミネータは、ロール状に巻いた化粧シートを引き出す供給部と、供給部から引き出された化粧シートに接着剤を塗布する塗布部と、接着剤を塗布した化粧シートを基材上に配置し、ローラで押さえ付けることにより、化粧シートを基材に圧着する圧着部とを有する。
【０００５】
図７（ａ）は、紙面の向う側から手前側に進む基材１に対し、ローラ２６ａ〜２６ｅで化粧シート２を圧着する状態を示す従来の床材Ｂの断面図であり、図７（ｂ）は、矢印方向に進む基材１に、ローラ２６で化粧シート２を圧着する状態を示す従来の床材Ｂ，Ｂ’の断面図である。図７（ａ）に示すように、基材１の進行方向に平行な面に対しては、大きさや設置角度が異なる複数のローラ２６ａ〜２６ｅにより、化粧シート２を基材１に圧着することができる。しかし、図７（ｂ）に示すように、基材１の進行方向に垂直な面３０，３１に対して、基材１の進行中にローラ２６を当接させることが困難である。そのため、基材１の進行方向に垂直な面３０，３１に対して、化粧シート２を圧着するためには、基材１を９０度回転させて向きを変え、当該面３０，３１を進行方向と平行にする必要があり、製造効率が悪かった。
【０００６】
また、基材１が木質系材料の場合には、床材Ｂが膨張又は収縮することがある。図８は、床を構成する従来の床材Ｂ，Ｂ’の収縮した状態を示す部分断面図である。床材Ｂ，Ｂ’（基材１，１’）が収縮すると、隣接する基材１，１’間に、傾斜面による浅い溝２７とは異なる、いわゆる目隙と呼ばれる隙間２８が生じる。かかる隙間２８は、雄実上面１３まで一定の深さを有するため、影となり、床の美感を大きく損なう要因となっていた。一方、床材Ｂ，Ｂ’（基材１，１’）が膨張すると、両床材同士の接合部が圧迫して盛り上がり、床の美感を低下させていた。
【０００７】
そこで本発明は、容易に基材に化粧シートを貼付することができ、各床材間の目隙が目立たない床材を提供することを課題とする。
【課題を解決するための手段】
【０００８】
上記課題を解決するため、請求項１の発明では、基材の上面に化粧シートが貼付された矩形の床材であって、前記基材は、雄実が形成された側面を備えており、前記雄実が形成された側面の反対側の側面には雌実が設けられ、前記雄実を設けた側面には、基材の上面と連続する第一上向き傾斜面を備えており、前記雌実を設けた側面には、基材の上面と連続する第二上向き傾斜面を備えており、複数の床材を組み合わせて床を構成した場合に、隣接する一方の床材の雄実と、他方の床材の雌実とを嵌合させて、一方の床材の第一上向き傾斜面の上縁部と隣接する床材の第二上向き傾斜面とによってＶ字形の溝を形成させて、第一上向き傾斜面の下縁部を雌実に収容させることが可能であり、化粧シートが、基材の上面から前記第一上向き傾斜面と第二上向き傾斜面に至るまで貼付されていることを特徴とした。
【０００９】
これにより、基材の第一上向き傾斜面、上面、第二上向き傾斜面が連続しているので、基材に化粧シートを貼付し易い。また、第一上向き傾斜面と上面との間、又は上面と第二上向き傾斜面との間に、面取り面が存在したとしても、それぞれの面が連続していることには、影響しない。
【００１０】
請求項２の発明では、請求項１の発明において、基材上に配置された化粧シートが、押圧手段によって押圧されて基材に貼付されていることを特徴とした。
【００１１】
これにより、複数の基材に対して連続的に化粧シートを貼付することができ、床材の製造の効率を向上させることができる。
【００１２】
請求項３の発明では、請求項１又は請求項２の発明において、基材の上面と第一上向き傾斜面との角度、及び基材の上面と第二上向き傾斜面との角度を、共に１２０〜１５０度の範囲内とした。
【００１３】
これにより、床の構成時に床材同士の接合部に観察されるＶ字溝の見栄えが良くなる。
【００１４】
請求項４の発明では、請求項１〜３に記載の発明において、前記雄実は、前記第一上向き傾斜面の他に、先端面、雄実下面を有しており、前記雄実の下方には雄実下面と連続する雄実側垂直面が形成されており、前記雌実の上方には雌実と連続する前記第二上向き傾斜面が形成され、雌実は、雌実上面、底面、雌実下面を有しており、雌実の下方には雌実下面と連続する雌実側垂直面が形成されており、複数の床材を組み合わせて床を構成した場合に、一方の床材の第一上向き傾斜面に、他方の床材の第二上向き傾斜面と雌実上面とで形成される稜線を当接させることにより、隣接する床材同士の位置決めをすることが可能であり、その場合、雄実の先端面と雌実の底面との間、及び雄実側垂直面と雌実側垂直面との間に、所定幅の間隔が形成される側面の形状を有することを特徴とした。
【００１５】
これにより、床材が収縮して、第一上向き傾斜面と第二上向き傾斜面との間に間隔（目隙）が生じても、本発明に係る床材で構成された床においては、目隙が目立たない。すなわち、床の構成時に観察されるＶ字溝が若干大きくなるだけであり、床の美感を保つことができる。また、本発明に係る床材は、雄実の先端面と雌実の底面との間、及び雄実側垂直面と雌実側垂直面との間に、所定幅の間隔が形成されているため、床材が膨張しても、雄実の先端面と雌実の底面及び雄実側垂直面と雌実側垂直面とが当接せず、床材同士の接合部が盛り上がることはない。すなわち、第二上向き傾斜面が僅かに上方へずれ上がるだけであり、床の美感は保たれる。
【発明の効果】
【００１６】
本発明に係る床材は、基材に化粧シートを貼付する際、基材の進行方向に対して垂直な面には、化粧シートを貼付しないため、基材を９０度回転させて、向きを変える必要がない。そのため、効率よく床材を製造することができる。また、本発明に係る床材では、床材が収縮したとしても、床材間の目隙が目立つこともない。
【発明を実施するための最良の形態】
【００１７】
以下、本発明の実施形態について、図面を参照しながら詳細に説明する。図１は、本発明に係る床材Ａの斜視図であり、図２は図１に示す床材Ａの部分拡大斜視図であり、図３は、本発明に係る床材Ａの断面図である。
【００１８】
床材Ａは、基材１に化粧シート２が貼付されて構成される。基材１は、雄実５が形成された側面を備えており、雄実５が形成された側面の反対側の側面には雌実６が設けてある。雄実５は、第一上向き傾斜面８、先端面９、雄実下面１０を有しており、雄実５の下方には雄実下面１０と連続する雄実側垂直面１１が形成されている。第一上向き傾斜面８は、基材上面２０と略１３５度の角度で隣接している。なお、本発明において、第一上向き傾斜面８と基材上面２０との角度αは略１３５度に限られない。かかる角度αは鈍角であればよく、１２０〜１５０度の範囲内であることが望ましい。
【００１９】
一方、雌実６は、雌実上面１３、底面１４、雌実下面１５を有しており、雌実６の上方には雌実上面１３と連続する第二上向き傾斜面１６が形成されており、雌実６の下方には雌実下面１５と連続する雌実側垂直面１７が形成されている。第二上向き傾斜面１６は、基材上面２０と略１３５度の角度で隣接している。なお、本発明において、第二上向き傾斜面１６と基材上面２０との角度βは略１３５度に限られない。かかる角度βは鈍角であればよく、１２０〜１５０度の範囲内であることが望ましい。
【００２０】
基材１の素材としては、製材、合板、木質繊維板（ＭＤＦ等）、パーティクルボード、単板積層板等の木質系の材料を採用するのが望ましい。基材１の厚みは、床材Ａの用途や施工条件等により任意に選定可能であるが、例えば、５〜２０ｍｍ程度の範囲とすることができる。雄実５及び雌実６は、基材１の側面を切削して形成される。
【００２１】
上記のようにして形成された基材１には、図示しないラミネータによって化粧シート２が貼付される。化粧シート２としては、例えば、天然突板、人工突板、不織布、紙、合成樹脂シート等を用いることができる。好適な合成樹脂シートとしては、例えば、オレフィン樹脂、塩化ビニル樹脂、ポリエステル樹脂、アクリル樹脂等を含むシートが挙げられる。また、これらの合成樹脂シートの間に紙を挟んで圧着した複合シートや、合成樹脂を含浸させた含浸紙等も化粧シート２として用いることができる。これらの化粧シート２に上塗りを施してもよい。化粧シート２の厚みは、例えば、０．０５〜１ｍｍ程度の範囲とすることができる。
【００２２】
図４は、基材１に化粧シート２を貼付する状態を示す床材Ａの断面図である。本発明に係る床材Ａは、第一上向き傾斜面８及び第二上向き傾斜面１６が基材上面２０と鈍角に隣接していることに特徴がある。ラミネータの一部であるローラ２６は、図示しないばねを備えており、このばねの弾性力によって基材１に化粧シート２を圧着させることができる。本発明にかかる床材Ａは、ローラ２６で下向きに圧力を加えながら、第一上向き傾斜面８、基材上面２０、第二上向き傾斜面１６の順に化粧シート２を圧着させて製造することができる。なお、ローラ２６で化粧シート２を圧着させる順序は、第二上向き傾斜面１６、基材上面２０、第一上向き傾斜面８でもよい。
【００２３】
図５は、床材Ａ，Ａ’を組み合わせて構成された床の部分断面図である。図５に示すように、床を構成する場合には、基材１’の雄実５と、隣接する基材１の雌実６とを嵌合させる。そして、基材１’の第一上向き傾斜面８に、基材１の第二上向き傾斜面１６と雌実上面１３とで形成される稜線１８を当接させることにより、床材Ａ，Ａ’の位置決めがされる。このとき、床材Ａ’の第一上向き傾斜面８の上縁部と、床材Ａの第二上向き傾斜面１６とによってＶ字溝２５が形成される。本実施形態において、Ｖ字溝２５の角度γは、略９０度である。なお、本発明において角度γは、略９０度に限定されるものではなく、６０〜１２０度の範囲内であれば、床材Ａで構成される床の見栄えを良くすることができる。また、第一上向き傾斜面８の下縁部は、雌実６に収容されている。位置決めされた状態で、雄実５の先端面９と雌実６の底面１４との間、及び雄実側垂直面１１と雌実側垂直面１７との間には、所定幅の間隔２１、２２が形成されるように、床材の側面の形状及び寸法が設定されている。ここで間隔２１，２２は、必ずしも同一寸法である必要はなく、床材Ａ，Ａ’の膨張量を吸収可能であればよい。
【００２４】
図６は、隣接する床材Ａ，Ａ’が収縮した状態を示す本実施形態に係る床材Ａ，Ａ’の部分断面図である。床材Ａ，Ａ’が収縮すると、図６に示すように、第一上向き傾斜面８と第二上向き傾斜面１６との間に隙間２３（目隙）が生じる。しかし、本発明を実施した床材Ａにおいては、基材同士の接合部が多少開いても、目隙２３が目立つことがない。すなわち、図５に示す、床の構成時に観察されるＶ字溝２５が若干大きくなるだけであり、構成される床の美感は良好に保たれる。また、本実施形態に係る床材Ａでは、雄実５の先端面９と雌実６の底面１４との間、及び雄実側垂直面１１と雌実側垂直面１７との間に、所定幅の間隔２１，２２が形成されているため、各床材Ａ，Ａ’が膨張しても、雄実５の先端面９と雌実６の底面１４及び雄実側垂直面１１と雌実側垂直面１７とが当接せず、基材同士の接合部が盛り上がることはない。すなわち、第二上向き傾斜面１６が僅かに上方へずれ上がるだけであり、構成される床の美感は良好に保たれる。
【図面の簡単な説明】
【００２５】
【図１】本発明に係る床材の斜視図である。
【図２】図１に示した床材の部分拡大斜視図である。
【図３】本発明に係る床材の断面図である。
【図４】基材に化粧シートを貼付する状態を示す本発明に係る床材の断面図である。
【図５】本発明に係る床材で構成された床の部分断面図である。
【図６】隣接する床材が収縮した状態を示す本発明に係る床材で構成された床の部分断面図である。
【図７】（ａ）は、紙面の向う側から手前側に進む基材に対し、ローラで化粧シートを圧着する状態を示す従来の床材の断面図であり、（ｂ）は、矢印方向に進む基材に、ローラで化粧シートを圧着する状態を示す従来の床材の断面図である。
【図８】床材の収縮した状態を示す従来の床材で構成された床の部分断面図である。
【符号の説明】
【００２６】
１          基材
２          化粧シート
５          雄実
６          雌実
８          第一上向き傾斜面
９          先端面
１０        雄実下面
１１        雄実垂直面
１３        雌実上面
１４        底面
１５        雌実下面
１６        第二上向き傾斜面
１７        雌実側垂直面
１８        稜線
２０        基材上面
２１，２２  間隔
２３        隙間（目隙）
Ａ          床材
【図１】
2007170059.tif 000003
【図２】
2007170059.tif 000004
【図３】
2007170059.tif 000005
【図４】
2007170059.tif 000006
【図５】
2007170059.tif 000007
【図６】
2007170059.tif 000008
【図７】
2007170059.tif 000009
【図８】
2007170059.tif 000010